(57)【要約】  透明の歯列矯正アライナまたは一般に金属からなる従来のアークワイヤと、歯の前庭側または舌側の壁に固定されるプレート（ブラケット）とを有する従来の器具に適用することができる歯科矯正器具であって、１つまたはそれ以上の数の応力付加部が一体となった弧または弧部を形成するワイヤを備える。これらの応力付加部は、再配置される歯に力を加えるのに適している。
2013506481.tif 000002
【特許請求の範囲】
【請求項１】
単独でまたは従来の歯科矯正器具と併せて使用することができる歯科矯正器具であって、弧または弧部（４）を形成する少なくとも１本のワイヤ（５）を備え、ワイヤ（５）は、再配置される歯に力を加えるのに適した１つまたはそれ以上の数の応力付加部（６）と一体であることを特徴とする、歯科矯正器具。
【請求項２】
前記ワイヤ（５）および前記１つまたはそれ以上の数の応力付加部（６）は、これらが作用する歯の動きを、口の噛み合わせ面に対して実質的に垂直な軸（Ｐ）に沿って定めるように構成された、請求項１に記載の歯科矯正器具。
【請求項３】
前記ワイヤ（５）および前記１つまたはそれ以上の数の応力付加部（６）は、これらが作用する歯の配列を、歯列弓の方向に沿って定めるように構成された、請求項１または２に記載の歯科矯正器具。
【請求項４】
前記ワイヤ（５）および前記１つまたはそれ以上の数の応力付加部（６）は、これらが作用する歯の回転を、歯列弓に対して実質的に接線の水平軸Ｏ周りにおいて定めるように構成された、上記の請求項のいずれか１項に記載の歯科矯正器具。
【請求項５】
前記ワイヤ（５）は、アンカリングシステム（１３）を介して口内のアンカリングポイントに固定される、上記の請求項のいずれか１項に記載の歯科矯正器具。
【請求項６】
前記アンカリングシステム（１３）は、いずれかの歯および／または口内のいずれかの点、例えば口蓋に固定される骨固定装置に固定されるワイヤ（５）を有する、請求項５に記載の器具。
【請求項７】
前記ワイヤ（５）は、鉄鋼、ベータチタン合金、ニッケルチタン合金、および他の類似の材料の中から選択される金属材料からなる、上記の請求項のいずれか１項に記載の歯科矯正器具。
【請求項８】
前記１つまたはそれ以上の数の応力付加部（６）は、溶接もしくは溶解および／または前記ワイヤ（５）に設けられた小さい中空シリンダ（８）内のシートへの挿入により、前記ワイヤ（５）に固定される、上記の請求項のいずれか１項に記載の歯科矯正器具。
【請求項９】
前記１つまたはそれ以上の数の応力付加部（６）は、前記ワイヤ（５）と一体的に形成される、上記の独立請求項のいずれか１項に記載の歯科矯正器具。
【請求項１０】
前記１つまたはそれ以上の数の応力付加部（６）は、歯に配置されると、ワイヤ（５）の設けられる面に対して実質的に垂直な軸Ｑに沿って部分的に延在する、上記の請求項のいずれか１項に記載の歯科矯正器具。
【請求項１１】
前記１つまたはそれ以上の数の応力付加部（６）は、フック形状に曲げられたセグメントまたは線形状のセグメントを有し、セグメントの自由端は、再配置される歯に対して応力を加えるのに適している、上記の請求項のいずれか１項に記載の歯科矯正器具。
【請求項１２】
前記１つまたはそれ以上の応力付加部（６）は、接続手段（９）、プレート（３）、樹脂、および／または管（１４）を介して少なくとも１つの再配置される歯に固定される、上記の請求項のいずれか１項に記載の歯科矯正器具。
【請求項１３】
前記接続手段（９）は、舌側用の形態において、
再配置される歯に固定される結合部（１０）と、
前記結合部（１０）から延在し、前記応力付加部（６）が挿入される端部（１２）で終わる長形体（１１）とを有する、請求項１２に記載の歯科矯正器具。
【請求項１４】
前記接続手段（９）は、前記接続手段（９）の少なくとも１つの結合部（１０）に挿入および／または係止される固定連結部（１５）を有する、請求項１２または１３に記載の歯科矯正器具。
【請求項１５】
前記少なくとも１つの固定連結部（１５）は、従来の器具を固定するのに適している、請求項１２から１４のいずれか１項に記載の器具。
【請求項１６】
前記ワイヤ（５）は、前記応力付加部（６）の断面よりも大きい断面を有する、上記の請求項のいずれか１項に記載の器具。 
【発明の詳細な説明】
【技術分野】
【０００１】
本発明は、アークワイヤを有する歯科矯正器具に関する。
【背景技術】
【０００２】
歯科矯正においては、１本の歯または一組の歯の位置を修正することが可能な器具が使用され、これにより、審美的および／または機能的欠陥が矯正され、歯列弓が正しく再配列または再配置される。
【０００３】
通常使用される器具は、歯に配置されるプレート（ブラケット）に固定される金属のアークワイヤにより構成される。
【０００４】
比較的弱い力を所定の時間間隔で加えることにより、歯の動きが得られる。
さらなる器具の種類としては、一般に透明な材料からなる歯列矯正アライナがあり、この歯列矯正アライナを歯列弓の周りに配置して歯列弓を再配列する。
【０００５】
上記の器具の欠点としては、１本または複数本の近隣する歯に対してレバーとして作用することで歯を移動させる力を得る点が挙げられる。この方法では、隣接する歯も動き、それぞれの当初の位置に対して異なって動く。
【０００６】
さらには、従来の器具または歯列矯正器具では、歯列弓に対して垂直な面に沿った歯の動き（トルク動作）は、手間のかかる方法で非常に長い期間をかけて得られる。
【発明の概要】
【発明が解決しようとする課題】
【０００７】
発明の目的 
本発明の技術的課題は、上述の難点を取り除くことによって従来技術を向上させることにある。
【０００８】
このような技術的課題の範囲内において、本発明の目的は、歯または口内の選択された位置に固定することができる歯科矯正器具を提供し、これにより、隣接する歯に対してレバーとして作用することなく、再配置される歯または一組の歯の動きを得ることにある。
【０００９】
さらに、アンカリングポイントまたは固定する歯を選択することができるため、トルク動作を行うこともできるようになる。従って、好ましい生体工学を採用している。
【００１０】
本発明の他の目的は、荷重たわみ係数が低く、摩擦力の小さい、ソフトで生理的な動きで歯を再配置することができる歯科矯正器具を提供することにある。
【００１１】
本発明の他の目的は、器具を単独で利用できるようにすること、または従来使用されている他の歯科矯正器具に付加して利用できるようにすることにある。
【００１２】
これらの目的および他の目的は、付属の請求項のうちの１つまたはそれ以上の数の請求項による歯科矯正器具によって全てが実現される。
【００１３】
これらの利点および更なる利点は、当業者であれば、例示される以下の明細書本文および付属の図面からより良く理解することができるであろう。 
【図面の簡単な説明】
【００１４】
【図１】本発明に従い舌側に使用される応力付加部を有するアークワイヤを示す斜視図である。
【図２】本発明に従い舌側に使用される応力付加部を有するアークワイヤの更なる形態を示す斜視図である。
【図３】本発明に従い舌側に使用される応力付加部を有するアークワイヤであって、石膏で再現した歯列弓に接続手段を取り付けた状態を示す上面図である。
【図４】図３に示す石膏の歯列弓の上面図であって、図１および／または図２に示される応力付加部を有するアークワイヤを使用した状態を示す図である。
【図５】図４に対応する原物を示す上面図である。
【図６】本発明に従い前庭側に使用される応力付加部を有するアークワイヤを示す斜視図である。
【図７】歯列弓の原物を示す前面図であって、図６の応力付加部を有するアークワイヤが使用される寸前の状態を示す図である。
【図８】図６または図７のアークワイヤに設けられた応力付加部を固定するための異なる方法を示す図である。
【図９】図７の応力付加部を有するアークワイヤを使用する後続のステップを示す図である。
【図１０】本発明の前庭側用の形態を使用した場合の歯列弓の原物を示す前面図である。
【図１１】本発明のアークワイヤ部の前庭側用の形態を使用した場合の歯列弓の原物を示す前面図である。
【図１２】本発明の舌側用の形態で使用可能な一連の接続手段を示す図である。
【図１３】図１２の接続手段の更なる形態を示す図である。
【図１４】図１２の接続手段の一部を拡大した図である。
【図１５】図１５Ａは、本発明の舌側用の形態で使用可能なあるタイプの手製の接続手段を示す前面図である。図１５Ｂは、本発明の舌側用の形態で使用可能なあるタイプの手製の接続手段を示す側面図である。図１５Ｃは、本発明の舌側用の形態で使用可能なあるタイプの手製の接続手段を示す上面図である。
【図１６】図１６Ａは、固定連結部が設けられた別のタイプの手製の接続手段を示す前面図である。図１６Ｂは、固定連結部が設けられた別のタイプの手製の接続手段を示す側面図である。図１６Ｃは、固定連結部が設けられた別のタイプの手製の接続手段を示す上面図である。
【図１７】歯の主軸を描いた歯列弓の概略図である。
【発明を実施するための形態】
【００１５】
図面を参照すると、参照符号１は全体において本発明の歯科矯正器具を示す。器具１は、金属またはセラミック材料からなるプレート（ブラケット）３に公知の方法により挿入される、金属材料からなるアークワイヤ２を含む従来の固定器具に使用され得る。
【００１６】
器具１は、一般に透明な材料からなる歯列矯正アライナを含む器具に使用してもよい。
図１７は、歯列弓およびこのような歯列弓に属する歯Ｄを概略的に示している。Ｌは歯Ｄの長手軸を示す。Ｏは歯Ｄの水平軸を示し、歯列弓自体に対して接線をなす。Ｐは歯列弓と軸Ｌおよび軸Ｏとに対して垂直な軸を示す。
【００１７】
器具１と従来使用されている器具とを併用することにより、１本またはそれ以上の本数の歯を同時に異なる方向へ動かすことができる。つまり、従来のワイヤ２および／または歯列矯正アライナは、歯列弓の方向に沿って歯を配列する動き、および長手軸Ｌを中心として歯を回転させる動きを可能とするのに対し、器具１は、トルク動作または第三の角度への動き、歯列弓の方向に沿って歯を配列する動き、軸Ｐに沿った動き、および水平軸Ｏを中心として歯を回転させる動きを可能とする。従来使用されている器具によってこれらの動きを全て得ることはできない。
【００１８】
このような態様により、大きな動きは大抵本願の器具１によって達成されるのに対して、小さい動きおよび／または審美的な修正は、従来の構造を有する器具および／または歯列矯正アライナによって達成される。
【００１９】
図８に示すように、器具１は、従来の器具または歯列矯正器具による補助がなくとも使用することができ、単独で使用することができる。
【００２０】
器具１は、歯列弓の内側部分（舌側用の形態、図１〜図５）および歯列弓の外側部分（前庭側用の形態、図６〜図１１）の両方に使用することができる。
【００２１】
器具１は、歯自体の壁に対して実質的に垂直な軸Ｐの方向、および／または歯列弓の方向、および／または歯自体の水平軸Ｏの方向に沿って再配置される歯の動きの推進力を決めるワイヤ５を含む。
【００２２】
図５、図１０、図１１に示されるように、器具１が従来の器具または歯列矯正器具と組み合わされると、ワイヤ５は、従来の器具のワイヤ２により形成される第一の弧に対する第二の弧または弧部４を構成する。
【００２３】
ワイヤ５は、金属、主に鉄鋼、またはベータチタン、ベータチタン合金およびニッケル−チタン合金のような他の材料からなっても良い。ワイヤ５は、様々な厚さを有してもよく、正方形、円形、矩形または他の形状の断面を有しても良い。ワイヤ５は、中実または中空でも良い。
【００２４】
器具１は、第二の弧または弧部４のワイヤ５と一体の１つまたはそれ以上の数の応力付加部（スパー）６をさらに有する。このような応力付加部６は、歯に配置されると、応力付加部６が固定されるワイヤ５が置かれる面に対して実質的に垂直な軸Ｑに少なくとも部分的に沿って延在する。
【００２５】
通常、器具１は、互いに離れて設けられるフック点と、ワイヤ５と、ワイヤ５の断面よりも小さい断面を有する１つまたはそれ以上の数の応力付加部６とを使用する。この態様によって、低い荷重たわみ係数が得られ、再配置される歯の生理的な動きを定める低い摩擦力が得られる。
【００２６】
一連の図６〜図１１に見られるように、器具１を前庭側に使用した場合、応力付加部６は、従来の器具または他の公知のタイプの器具に通常使用されるプレート （ブラケット）３に既に設けられた穴７に挿入される。
【００２７】
応力付加部６は、小管１４を介して、または樹脂によって、歯列弓に固定してもよい。これにより、一般に透明な材料からなる歯列矯正アライナと併用することができる。
【００２８】
応力付加部６は、フック状に曲げられた形状または線形状を有する部位を有し、再配置される歯に加わる力、第二の弧または弧部４のワイヤ５に求められる柔軟性、および応力付加部６が使用される歯の位置への適合可能性に応じて、様々な形状および成形のタイプを有することができる。応力付加部６はワイヤ５と一体であり、溶接、溶解、またはワイヤ５に設けられた小さい中空のシリンダ８内のシート部内におけるワイヤ５への挿入によりワイヤ５に固定することができ、目的の位置に配置することができる。この態様により、応力付加部６の挿入および固定が容易となる。
【００２９】
このような応力付加部６は、ワイヤ５と一体的に形成されても良い。
舌側用の形態において、器具１は接続手段９をさらに有する。接続手段９は、従来型または新型のいずれでも良く、選択された歯に固定される。このような接続手段９は結合部１０を有する。図１２〜図１６に例示される結合部１０は、別途形成され、内側壁に固定され、従来のアークワイヤ２が選択的にこの結合部１０を通る。このような接続手段９は、レオネ継ぎ手およびフォレスタデント継ぎ手という名前を有して、この製品名と同じ名前を有する会社により市販される接続手段（図１２〜図１４）、または手製の接続手段（図１５および図１６）であっても良い。
【００３０】
このような結合部１０は、樹脂および／または小管から成り、再配置される歯に固定される。
【００３１】
このような接続手段９は、接合部１０から端部１２まで延在する端部１１をさらに含む。
【００３２】
端部１２は、応力付加部６を受けるのに適していればどのような形でも良い。例えば、端部１２は中空のシリンダ形状を有し、応力付加部６はこの中空部分に任意で挿入される。
【００３３】
本発明の保護範囲から逸脱することのない範囲で、接続手段９は小管または樹脂によって構成されても良く、応力付加部６に接続するための他の形状および／または手段を有しても良い。
【００３４】
接続手段９は他の態様により連結されても良く、例えば自己連結クリップを有するなどの様々なタイプや形状を有し得る、少なくとも１つの固定連結部１５を接続手段９の結合部１０に挿入または係止して、ワイヤ２を従来の器具を固定してもよい。このような固定連結部１５は、金属材料、弾性材料、または他の材料から構成されても良い。
【００３５】
固定連結部１５を設けることにより、連結が容易となる。
舌側においては、作業のためのスペースが前庭側よりも小さいという事実により、接続手段９を設けることで、器具１の組み立てが容易となり、器具自体の生体工学的な局面が改善される。その上、接続手段９のおかげで、けん引を決めるワイヤは、大きい長さを有し得るため、荷重たわみ係数がより小さくなる。
【００３６】
図３〜図５に示されるように、第二弧または弧部４は、複数の臼歯に配置されたアンカリングシステム１３を有し、ワイヤ５は臼歯自体に配置されたプレートに係止される。しかし、図１１に示すように、アンカリングシステム１３は選択された歯および／または口内のいずれの位置に適用することができる。例えば、骨固定部があり、ワイヤ５は小スクリューまたは他のアンカリング装置を使用して口蓋に固定される。
【００３７】
第二の弧または弧部４が、複数の臼歯または選択的に口内の他の位置に配置されるアンカリングポイント１３を有するという事実により、歯を再配置する際にレバー動作が隣接する複数の歯に加わって相互の動きを生むという従来の器具の課題を克服することができる。代わりに、この方法によって、再配置される歯の動きが、ほとんど固定ロスがなく行われる。
【００３８】
本発明は好適な実施例によって記載されたが、付属の請求項により提示される権利範囲から逸脱することなく、同等の変形が考えられる。
【図１】
2013506481.tif 000003
【図２】
2013506481.tif 000004
【図３】
2013506481.tif 000005
【図４】
2013506481.tif 000006
【図５】
2013506481.tif 000007
【図６】
2013506481.tif 000008
【図７】
2013506481.tif 000009
【図８】
2013506481.tif 000010
【図９】
2013506481.tif 000011
【図１０】
2013506481.tif 000012
【図１１】
2013506481.tif 000013
【図１２】
2013506481.tif 000014
【図１３】
2013506481.tif 000015
【図１４】
2013506481.tif 000016
【図１５】
2013506481.tif 000017
【図１６】
2013506481.tif 000018
【図１７】
2013506481.tif 000019
【国際調査報告】
2013506481.tif 000020
2013506481.tif 000021
2013506481.tif 000022
2013506481.tif 000023